(57)【要約】【課題】消費電力を抑え、かつ良好な表示を行う表示装置を実現する。【解決手段】本発明の一態様に係る表示装置（１）は、画像がフリッカを視認させやすい特徴を有するか否かを判定する画像判定部（３５）と、判定結果に応じて第１表示方式と第２表示方式とを切り替える表示方式切替部（３６）と、フリッカを視認させやすい画像のための第２表示方式では、第１画素および第２画素に対応する階調が同じである場合であっても、第１画素および第２画素に異なる電位を書き込むソースドライバ（２３）とを備える。【選択図】図１
2014211536.tif 000002
【特許請求の範囲】
【請求項１】
第１絵素においてある色を表示する第１画素と、上記第１絵素に隣接する第２絵素において上記色を表示する第２画素とを含む表示パネルと、
ある期間における表示データが示す画像がフリッカを視認させやすい特徴を有する画像であるか否かを判定する画像判定部と、
上記期間における画像はフリッカを視認させやすい特徴を有しないと判定された場合、該期間において第１表示方式で該画像の表示を行う一方、上記期間における画像はフリッカを視認させやすい特徴を有すると判定された場合、該期間において第２表示方式で該画像の表示を行うように、表示方式を切り替える表示方式切替部と、
上記第１表示方式では、上記第１画素に対応する上記表示データの階調と上記第２画素に対応する上記表示データの階調とが同じである場合、上記第１画素および上記第２画素に同じ電位を書き込む一方、上記第２表示方式では、上記第１画素に対応する上記表示データの階調と上記第２画素に対応する上記表示データの階調とが同じである場合であっても、上記第１画素および上記第２画素に異なる電位を書き込む画素書込部とを備えることを特徴とする表示装置。
【請求項２】
上記第１絵素と上記第２絵素とは、列方向に隣接し、
上記画素書込部は、上記第１表示方式ではカラム反転駆動によって表示を行い、上記第２表示方式ではドット反転駆動によって表示を行い、
上記表示方式切替部は、上記画像判定部の判定結果に応じて上記画素書込部の表示方式をカラム反転駆動とドット反転駆動との間で切り替えることを特徴とする請求項１に記載の表示装置。
【請求項３】
上記第１画素に対応する階調が、中間階調の中の第１範囲の階調である場合、上記第１表示方式において上記画素書込部が上記第１画素に書き込む電位と、上記第２表示方式において上記画素書込部が上記第１画素に書き込む電位とは、同極性であり、かつ異なる大きさであることを特徴とする請求項２に記載の表示装置。
【請求項４】
上記第１表示方式と上記第２表示方式とで、上記表示データに対して異なるパラメータを用いてガンマ補正を行うガンマ補正部を備えることを特徴とする請求項２または３に記載の表示装置。
【請求項５】
上記ガンマ補正部は、上記第１表示方式における階調−輝度特性と、上記第２表示方式における階調−輝度特性とが同じになるように、ガンマ補正を行うことを特徴とする請求項４に記載の表示装置。
【請求項６】
上記第１画素に対応する上記表示データの階調と上記第２画素に対応する上記表示データの階調とが中間階調の中の第２範囲の階調である場合、上記第２表示方式では、上記第１画素に対応する階調を高く変換し、上記第２画素に対応する階調を低く変換するように、画像処理を行う画像処理部を備えることを特徴とする請求項１に記載の表示装置。
【請求項７】
上記画像処理部は、上記第１表示方式では上記画像処理を行わないことを特徴とする請求項６に記載の表示装置。
【請求項８】
上記第１画素に対応する上記表示データの階調と上記第２画素に対応する上記表示データの階調とが同じである場合、上記画像処理部は、上記第２表示方式における上記第１画素および上記第２画素の平均輝度が、上記第１表示方式における上記第１画素の輝度と同じになるように、上記画像処理を行うことを特徴とする請求項７に記載の表示装置。
【請求項９】
上記第２表示方式では、上記画像処理部は、
上記色を表示する複数の画素に対応する上記表示データの階調が、同じでありかつ上記第２範囲の階調であるような、所定の大きさ以上の領域を検出し、
上記変換によって階調が高くなる画素と上記変換によって階調が低くなる画素とが市松模様に並ぶように、上記画像における該領域に対して上記画像処理を行うことを特徴とする請求項６から８のいずれか一項に記載の表示装置。
【請求項１０】
上記画像処理部は、上記第２表示方式における上記変換によって階調が高くなる上記画素および上記変換によって階調が低くなる上記画素の平均輝度が、上記第１表示方式における上記領域の画素の輝度と同じになるように、上記画像処理を行うことを特徴とする請求項９に記載の表示装置。
【請求項１１】
上記第２表示方式においては、上記画像処理部は、変換後の上記第１画素に対応する階調と変換後の上記第２画素に対応する階調とが上記第２範囲外の階調になるように、上記画像処理を行うことを特徴とする請求項６から１０のいずれか一項に記載の表示装置。
【請求項１２】
上記画素書込部は、上記表示データが示す画像の内容が変化したタイミング、および、上記第１画素および上記第２画素に電位を書き込んでから所定期間が経過したタイミングのいずれか早いタイミングで、表示の更新を行い、
上記所定期間は、動画を表示するときの表示更新間隔よりも長いことを特徴とする請求項１から１１のいずれか一項に記載の表示装置。
【請求項１３】
上記画像判定部は、上記画像の所定の領域における、中間階調の中の第２範囲の階調である画素の割合が第１閾値以上であるか否かに応じて、上記期間における画像がフリッカを視認させやすい特徴を有するか否かを判定することを特徴とする請求項１から１２のいずれか一項に記載の表示装置。
【請求項１４】
表示装置の表示方法であって、
上記表示装置は、第１絵素においてある色を表示する第１画素と、上記第１絵素に隣接する第２絵素において上記色を表示する第２画素とを含む表示パネルを備え、
ある期間における表示データが示す画像がフリッカを視認させやすい特徴を有する画像であるか否かを判定する画像判定ステップと、
上記期間における画像はフリッカを視認させやすい特徴を有しないと判定された場合、該期間において第１表示方式で該画像の表示を行う一方、上記期間における画像はフリッカを視認させやすい特徴を有すると判定された場合、該期間において第２表示方式で該画像の表示を行うように、表示方式を切り替える表示方式切替ステップと、
上記第１表示方式では、上記第１画素に対応する上記表示データの階調と上記第２画素に対応する上記表示データの階調とが同じである場合、上記第１画素および上記第２画素に同じ電位を書き込む一方、上記第２表示方式では、上記第１画素に対応する上記表示データの階調と上記第２画素に対応する上記表示データの階調とが同じである場合であっても、上記第１画素および上記第２画素に異なる電位を書き込む画素書込ステップとを含むことを特徴とする表示方法。
【発明の詳細な説明】
【技術分野】
【０００１】
本発明は表示装置および表示方法に関する。
【背景技術】
【０００２】
近年、液晶表示装置に代表される薄型、軽量、および低消費電力の表示装置が著しく普及している。こうした表示装置の典型的な搭載形態は、例えば携帯電話機、スマートフォン、ノート型ＰＣ(Personal Computer)等である。また、今後はより薄型の表示装置である電子ペーパーの開発および普及も急速に進むことが期待されている。このような状況の中、各種の表示装置において消費電力を低下させることが共通の課題となっている。
【０００３】
従来のＣＧ（Continuous Grain）シリコンＴＦＴ液晶表示パネル、またはアモルファスシリコンＴＦＴ液晶表示パネル等では、６０Ｈｚで画面リフレッシュを行う必要がある。そこで、従来の液晶表示パネルの省電力化のために、６０Ｈｚより低いリフレッシュレートを実現する試みがなされている。
【０００４】
特許文献１には、一連のフレームに渡って画像中にストライプが存在しない場合、当該フレームがフリッカを生じやすい特徴を有しないと判断し、リフレッシュレートを低下させる液晶ディスプレイが記載されている。
【先行技術文献】
【特許文献】
【０００５】
【特許文献１】特開２００９−２５１６０７号公報（２００９年１０月２９日公開）
【発明の概要】
【発明が解決しようとする課題】
【０００６】
しかしながら、ＣＧシリコンＴＦＴまたはアモルファスシリコンＴＦＴを用いた液晶表示パネルでは、表示品位を維持するためには、せいぜい５０Ｈｚまでしかリフレッシュレートを低下させることはできない。
【０００７】
近年、インジウム（Ｉｎ）、ガリウム（Ｇａ）、亜鉛（Ｚｎ）を用いた酸化物半導体によってＴＦＴを構成した酸化物半導体液晶表示パネルの開発が鋭意進められている。酸化物半導体によって構成されたＴＦＴでは、オフ状態における電流の漏れが少ない。そのため、酸化物半導体液晶表示パネルでは、従来のように６０Ｈｚで画面リフレッシュを行う必要がなく、リフレッシュレートを１Ｈｚ程度にまで低減させることができる。それゆえ、消費電力を低減することができる。
【０００８】
しかしながら、液晶の応答速度が遅い場合、画素容量が均一でない等の理由により、低リフレッシュレートで表示装置の駆動を行うと、フリッカが視認されやすくなるという問題が生じる場合がある。液晶の応答速度が遅い場合、リフレッシュされない期間に渡って液晶の配向状態が変化するので、階調の変化が視認されやすい。また、オフ状態のＴＦＴを介して画素から電荷が漏れるので、画素容量が均一でない場合、画素毎に画素電位の変化が異なってしまう。
【０００９】
特許文献１はリフレッシュレート設定に関する技術を開示しているが、この技術では、消費電力の低減とフリッカの抑制とを十分に両立させることができない。
【００１０】
本発明の一態様によれば、消費電力を抑え、かつ良好な表示を行う表示装置を実現することができる。
【課題を解決するための手段】
【００１１】
本発明の一態様に係る表示装置は、第１絵素においてある色を表示する第１画素と、上記第１絵素に隣接する第２絵素において上記色を表示する第２画素とを含む表示パネルと、ある期間における表示データが示す画像がフリッカを視認させやすい特徴を有する画像であるか否かを判定する画像判定部と、上記期間における画像はフリッカを視認させやすい特徴を有しないと判定された場合、該期間において第１表示方式で該画像の表示を行う一方、上記期間における画像はフリッカを視認させやすい特徴を有すると判定された場合、該期間において第２表示方式で該画像の表示を行うように、表示方式を切り替える表示方式切替部と、上記第１表示方式では、上記第１画素に対応する上記表示データの階調と上記第２画素に対応する上記表示データの階調とが同じである場合、上記第１画素および上記第２画素に同じ電位を書き込む一方、上記第２表示方式では、上記第１画素に対応する上記表示データの階調と上記第２画素に対応する上記表示データの階調とが同じである場合であっても、上記第１画素および上記第２画素に異なる電位を書き込む画素書込部とを備えるという特徴を有する。
【００１２】
本発明の一態様に係る表示方法は、表示装置の表示方法であって、上記表示装置は、第１絵素においてある色を表示する第１画素と、上記第１絵素に隣接する第２絵素において上記色を表示する第２画素とを含む表示パネルを備え、ある期間における表示データが示す画像がフリッカを視認させやすい特徴を有する画像であるか否かを判定する画像判定ステップと、上記期間における画像はフリッカを視認させやすい特徴を有しないと判定された場合、該期間において第１表示方式で該画像の表示を行う一方、上記期間における画像はフリッカを視認させやすい特徴を有すると判定された場合、該期間において第２表示方式で該画像の表示を行うように、表示方式を切り替える表示方式切替ステップと、上記第１表示方式では、上記第１画素に対応する上記表示データの階調と上記第２画素に対応する上記表示データの階調とが同じである場合、上記第１画素および上記第２画素に同じ電位を書き込む一方、上記第２表示方式では、上記第１画素に対応する上記表示データの階調と上記第２画素に対応する上記表示データの階調とが同じである場合であっても、上記第１画素および上記第２画素に異なる電位を書き込む画素書込ステップとを含む。
【発明の効果】
【００１３】
本発明の一態様によれば、消費電力を抑え、かつ、良好な表示を行う表示装置を実現することができる。
【図面の簡単な説明】
【００１４】
【図１】本発明の一実施形態に係る表示装置の構成を示すブロック図である。
【図２】酸化物半導体液晶表示パネルを１Ｈｚのリフレッシュレートで駆動した時の、各階調のフリッカ率を示すグラフである。
【図３】上記表示装置において静止画を表示するときのタイミングチャートである。
【図４】上記表示装置において動画を表示するときのタイミングチャートである。
【図５】上記表示装置のホスト制御部が表示方式を決定するフローチャートを示す図である。
【図６】カラム反転駆動における上記表示装置の表示部の状態を示す図である。
【図７】ドット反転駆動における上記表示装置の表示部の状態を示す図である。
【図８】表示データの階調に対する画素の輝度の特性（階調−輝度特性）を示す図である。
【図９】表示データの階調に対する画素の輝度の特性（階調−輝度特性）を示す図である。
【図１０】本発明の他の実施形態に係る表示装置の構成を示すブロック図である。
【図１１】（ａ）は、上記表示装置の擬似ドット反転処理による表示データの階調の変化を示し、（ｂ）は、対応する画素の輝度率の変化を示す。
【図１２】第１表示方式（擬似ドット反転処理なし）における上記表示装置の表示部の状態を示す図である。
【図１３】第２表示方式（擬似ドット反転処理有り）における上記表示装置の表示部の状態を示す図である。
【図１４】本発明のさらに他の実施形態において表示方式を決定するフローチャートを示す図である。
【図１５】（ａ）および（ｂ）は、表示装置の画面に表示される画像（静止画）の例を示す図である。
【図１６】本発明のさらに他の実施形態において表示方式を決定するフローチャートを示す図である。
【図１７】上記表示装置の画面を示す図である。
【図１８】上記表示装置の画面を示す図である。
【図１９】（ａ）は、所定のパターンを示す図であり、（ｂ）および（ｃ）は、画像の各画素の階調を表す階調マップを示す図である。
【図２０】本発明のさらに他の実施形態に係る表示装置の構成を示すブロック図である。
【発明を実施するための形態】
【００１５】
〔実施形態１〕
図２は、酸化物半導体液晶表示パネルを１Ｈｚのリフレッシュレートで駆動した時の、各階調のフリッカ率を示すグラフである。フリッカ率は、フリッカの視認されやすさを表し、その値が大きいほどフリッカが視認されやすい。例えば、フリッカ率１．５％がフリッカが視認されやすいか否かの１つの基準になる。低リフレッシュレートで駆動した場合に、フリッカが生じやすいか否かは、表示する画像の階調に依存する。図２では、最小の階調（黒）が０、最大の階調（白）が２５５である。なお、フリッカの視認されやすさは、画面の大きさおよび製造工程によっても異なる。パネル１はパネル２に比べて大型の液晶表示パネルである。パネル１とパネル２とは製造工程も異なる。
【００１６】
中間階調では液晶の応答速度が比較的遅い。また、中間階調では、ＴＦＴを介した電荷の漏れによる階調の変化（液晶分子の配向の変化）が生じやすい。ここで、中間階調とは、飽和階調（最小の階調および最大の階調）を除いた階調のことである。例えば最小の階調を０、最大の階調を２５５としたときは、階調１から階調２５４の範囲が中間階調である。ノーマリブラックの場合、中間階調の中でも、例えば階調１０から階調２００の範囲でフリッカがより視認されやすい。さらに、階調２０から階調８０の範囲でフリッカがより視認されやすく、特に階調４０から階調６０の範囲でフリッカが視認されやすい。例えば、上記の範囲の階調の画素が多く含まれる画像を、１Ｈｚのリフレッシュレートで表示した場合、１秒毎に画面がリフレッシュされるので、ユーザは１秒毎にフリッカを視認する可能性がある。
【００１７】
そこで、本実施形態では、画像に所定の範囲の階調の画素が多く含まれる場合、すなわち画像がフリッカを視認させやすい特徴を有する場合、表示方法を切り替えることによって、フリッカが視認されることを防止する。
【００１８】
（表示装置１の構成）
図１は、本発明に係る一実施形態の表示装置の構成を示すブロック図である。表示装置１は、表示部１０と、表示駆動部２０と、ホスト制御部３０（制御装置）とを備えている。
【００１９】
表示部１０は画面を備えており、例えば、アクティブマトリクス型液晶表示パネルとしての酸化物半導体液晶表示パネルによって構成されている。酸化物半導体液晶表示パネルとは、二次元的に配列された複数の画素の少なくとも１つ毎に対応して設けられたスイッチング素子に、前述した酸化物半導体−ＴＦＴを採用した液晶表示パネルである。酸化物半導体−ＴＦＴは、半導体層に酸化物半導体が用いられたＴＦＴである。酸化物半導体としては、例えば、インジウム・ガリウム・亜鉛の酸化物を用いた酸化物半導体（Ｉｎ−Ｇａ−Ｚｎ−Ｏ）がある。酸化物半導体−ＴＦＴは、オン状態において流れる電流が大きく、オフ状態におけるリーク電流が小さい。そのため、スイッチング素子に、酸化物半導体−ＴＦＴを採用したことにより、画素開口率を向上させることができる上に、画面表示のリフレッシュレートを１Ｈｚ程度にまで低減させることができる。リフレッシュレートの低減は、省電力効果をもたらす。なお、画素開口率の向上は、表示を明るくする効果、または表示の明るさをＣＧシリコン液晶表示パネルなどと同じにする場合には、バックライトの光量を下げることによる省電力効果をもたらす。
【００２０】
（ホスト制御部３０の構成）
ホスト制御部３０は、画面更新検知部３１（更新検知部）、ＣＰＵ３２、ホストメモリ３３、ホストＴＧ３４（ホストタイミングジェネレータ）、画像判定部３５、表示方式切替部３６、およびガンマ補正部３７を備えている。ホスト制御部３０は、例えば基板上に形成された制御回路で構成される。
【００２１】
上記画面更新検知部３１は、表示部１０の画面の表示内容を更新する必要があるかどうかを検知する。例えば、表示装置１内で起動され実行中のアプリケーションが、表示内容の更新を画面更新検知部３１に通知してきた場合、表示装置１のユーザが入力部を介して表示内容の更新を画面更新検知部３１に通知してきた場合、インターネットを介したデータストリーミングまたは放送波などによる表示内容の更新が画面更新検知部３１に通知された場合などに、画面更新検知部３１は、ＣＰＵ３２に画面の表示内容（画像）を更新する必要があることを知らせる。
【００２２】
ここでは、画面更新検知部３１に入力される表示データは、表示内容が更新されるフレームの画像と、該画像データを表示するタイミングを示す表示更新フラグ（タイムリファレンス）とを含む。複数フレームに渡って画像の内容が変化しない場合、変化しない間のフレームのデータは、表示データには含まれない。画面更新検知部３１は、表示更新フラグに基づいて、表示内容の更新の必要性を検知することができる。画面更新検知部３１は、画像の内容が変化したフレームの時刻を記憶する。画面更新検知部３１は、表示更新フラグに基づいて、前に画像の内容が変化したフレームから（表示内容が更新されたフレームから）次に画像の内容が変化するフレームまでの間隔を検知する。画像の内容が変化する間隔から、表示が動画であるか静止画であるかを判別することができる。画面更新検知部３１は、表示更新フラグと表示データとをＣＰＵ３２に出力する。また、画面更新検知部３１は、画像の内容が変化する間隔を、表示方式切替部３６に出力する。
【００２３】
なお、画面更新検知部３１に入力された表示データに、表示更新フラグが含まれておらず、全てのフレームのデータが含まれている場合、画面更新検知部３１は、前のフレームの画像と後のフレームの画像とを比較することにより、画像の内容が変化したか否かを判断することができる。画面更新検知部３１は、この比較結果より、表示内容の更新の必要性を検知することができる。この場合も、画面更新検知部３１は、更新されたフレームの時刻から、画像の内容が変化してから次に画像の内容が変化するまでの間隔を検知する。
【００２４】
ＣＰＵ３２は、１画面分の表示データを画面更新検知部３１から取得し、ホストメモリ３３に表示データを書き込む。また、ＣＰＵ３２は、画像判定部３５に表示データを出力する。ＣＰＵ３２は、更新フラグをホストＴＧ３４に出力する。
【００２５】
ホストメモリ３３は、ＶＲＡＭ（Video Random Access Memory）等で構成される記憶装置である。
【００２６】
画像判定部３５は、表示データが示す画像が、フリッカを視認させやすい特徴を有する画像（フリッカ画像）であるか否かを判定する。具体的には、画像判定部３５は、画像中の各画素について、階調２０から階調８０の範囲（第２範囲）の階調であるか否かを判定する。画像判定部３５は、画像の所定の領域における第２範囲の階調である画素の割合を求める。具体的には、画像判定部３５は、例えば１０階調刻みで複数の画素を分類したヒストグラムを生成し、ヒストグラムから第２範囲の階調である画素の割合を求める。ここでは上記所定の領域は画像の全体であるが、上記所定の領域は画像の一部の領域であってもよい。画像判定部３５は、第２範囲の階調である画素の割合が３０％（第１閾値）以上であるか否かを判定する。画像判定部３５は、上記割合が３０％以上である場合、その画像がフリッカを視認させやすい特徴を有すると判定し、上記割合が３０％未満である場合、その画像がフリッカを視認させやすい特徴を有しないと判定する。画像判定部３５は、第２範囲の階調である画素の割合が第１閾値以上であるか否か（画像がフリッカを視認させやすい特徴を有するか否か）の判定結果を、表示方式切替部３６に出力する。なお、第２範囲および第１閾値等の値は、一例であり、他の値であってもよい。
【００２７】
表示方式切替部３６は、画像判定部３５の判定結果に基づいて、表示部１０の表示方式を切り替える。表示が静止画であり、画像がフリッカを視認させやすい特徴を有しないと判定された場合、表示方式切替部３６は、カラム反転駆動（第１表示方式）で該画像の表示を行うことを決定する。一方、表示が静止画であり、画像がフリッカを視認させやすい特徴を有すると判定された場合、表示方式切替部３６は、ドット反転駆動（第２表示方式）で該画像の表示を行うことを決定する。ただし、表示が動画である場合、表示方式切替部３６は、画像判定部３５の判定結果に関わらず、カラム反転駆動によって該画像の表示を行うことを決定する。なお、静止画か動画かに関わらず、画像がフリッカを視認させやすい特徴を有するか否かに応じて表示方式を決定してもよい。
【００２８】
カラム反転駆動は、ドット反転駆動に比べて、消費電力が小さいという長所を有する。一方、ドット反転駆動は、カラム反転駆動に比べて、消費電力は大きいが、フリッカが生じにくいという長所を有する。そのため、画像そのものがフリッカを視認させやすい特徴を有する場合は、フリッカの発生を抑制するためにドット反転駆動により表示を行う。表示が動画である場合、短い間隔で画像の内容が変化するので、第２範囲の階調の画素が多くてもフリッカが視認されにくい。そのため、表示が動画である場合、ドット反転駆動を行う必要はない。なお、表示方式切替部３６は、画像の内容が変化する間隔から、表示が動画であるか静止画であるかを判定することができる。表示方式切替部３６は、決定された表示方式（カラム反転駆動またはドット反転駆動）で表示部１０が駆動されるよう、表示駆動部２０に表示方式を指示する。また、表示方式切替部３６は、ガンマ補正部３７にも表示方式を指示する。
【００２９】
ガンマ補正部３７は、ホストメモリ３３から表示データを取得し、表示方式切替部３６から指示された表示方式に応じて、異なるパラメータを用いて表示データに対してガンマ補正を行う。具体的には、ガンマ補正部３７は、カラム反転駆動に適した第１ＬＵＴ（ルックアップテーブル）と、ドット反転駆動に適した第２ＬＵＴとを有する。表示方式がカラム反転駆動の場合、ガンマ補正部３７は、表示データに対して第１ＬＵＴを用いてガンマ補正を行う。表示方式がドット反転駆動の場合、ガンマ補正部３７は、表示データに対して第２ＬＵＴを用いてガンマ補正を行う。ガンマ補正部３７は、ガンマ補正後の表示データをホストＴＧ３４に出力する。
【００３０】
ホストＴＧ３４は、ＣＰＵ３２から更新フラグを受け取ると、ガンマ補正部３７から取得したガンマ補正後の表示データを、表示駆動部２０に転送する。ホストＴＧ３４は、表示内容（画像）の更新が必要な時のみ、更新されるフレーム画像の表示データを表示駆動部２０に転送する。表示データの転送は、例えばＭＩＰＩ（ミピ：Mobile Industry Processor Interface）等のモバイル機器のデータ通信仕様に従って行われる。なお、ホストＴＧ３４は、ガンマ補正後の表示データと共に同期信号を表示駆動部２０に転送する。
【００３１】
（表示駆動部２０の構成）
表示駆動部２０は、例えば、表示部１０のガラス基板にＣＯＧ（Chip on Glass）実装された、いわゆるＣＯＧドライバであり、上記画面に、表示データに基づく表示を行わせるように、表示部１０を駆動する。表示駆動部２０は、メモリ２１、ＴＧ２２（タイミングジェネレータ）、およびソースドライバ２３（画素書込部）を備える。
【００３２】
メモリ２１は、ホスト制御部３０から転送された表示データを記憶する。メモリ２１は、次に表示の更新が行われるまで（すなわち画像の内容が変化しない限り）、表示データを保持し続ける。
【００３３】
ＴＧ２２は、表示部１０を駆動するためのタイミング信号を生成する。ＴＧ２２は、画像の内容が変化したとき（すなわちホスト制御部３０から表示駆動部２０に表示データが転送されたとき）、メモリ２１から表示データを読み出し、タイミング信号と表示データとをソースドライバ２３に出力する。また、ＴＧ２２は、表示部１０の画素に電位を書き込んでから所定期間が経過したとき、メモリ２１から表示データを読み出し、タイミング信号と表示データとをソースドライバ２３に出力する。例えば上記所定期間が１秒であれば静止画のリフレッシュレートは１Ｈｚになり、上記所定期間が０．１秒であれば静止画のリフレッシュレートは１０Ｈｚになる。また、動画を表示する場合、リフレッシュレートは動画のフレームレートに合わせられる。例えば動画のフレームレートが３０Ｈｚであれば、リフレッシュレートは３０Ｈｚになる。なお、ＴＧ２２は、タイミング信号を生成するためにホストＴＧから入力される同期信号を利用してもよい。
【００３４】
ソースドライバ２３は、ホスト制御部３０から指示された表示方式で、タイミング信号に従って、表示部１０の画素に表示データに対応した電位を書き込む。具体的には、ソースドライバ２３は、ガンマ補正後の表示データが示す階調に対応する電位のソース信号を生成し、ソース信号を表示部１０の画素に供給する。表示部１０をカラム反転駆動またはドット反転駆動で駆動するために、ソースドライバ２３は、各画素に供給するソース信号の電位の極性を、書き込みが行われるフレーム毎に反転させる。また、カラム反転駆動（第１表示方式）では、１つのフレームにおいて各画素に書き込まれる電位の極性が、列（画素列、または絵素列）毎に反転している。ドット反転駆動（第２表示方式）では、１つのフレームにおいて各画素に書き込まれる電位の極性が、列毎および行毎に極性が反転している。ここでは、表示パネルに設けられる共通電極の電位より高ければ極性は＋、共通電極の電位より低ければ極性は−である。
【００３５】
なお、表示装置１の好適な例として、例えば、携帯電話機、スマートフォン、ノート型ＰＣ、タブレット端末、電子書籍リーダー、またはＰＤＡ等、特に携行性を重視する表示装置を挙げることができる。
【００３６】
（表示駆動方法）
図３は、表示装置１において静止画を表示するときのタイミングチャートである。図３は、静止画像Ａと静止画像Ｂとが順に表示される場合を示す。画像Ａは、第２範囲（階調２０〜階調８０）の階調の画素の割合が第１閾値（３０％）より小さく、フリッカを視認させやすい特徴を有しない画像である。画像Ｂは、第２範囲の階調の画素の割合が第１閾値以上であり、フリッカを視認させやすい特徴を有する画像である。そのため、画像Ａはカラム反転駆動によって表示が行われ、画像Ｂはドット反転駆動によって表示が行われる。
【００３７】
図３の（ａ）に示すように、画像の内容が変化したときのみ、ホスト制御部３０から表示駆動部２０に１画面分の（ガンマ補正後の）表示データ（画像Ａ、画像Ｂ）が転送される。画像Ａの表示データが転送された後、次にホスト制御部３０から表示駆動部２０に表示データが転送されるのは、表示内容が画像Ｂに更新されるときである。
【００３８】
表示駆動部２０は、受け取った表示データ（画像Ａ）をメモリ２１に格納すると共に、図３の（ｂ）のドライバ内部垂直同期信号に同期したタイミングで、表示部１０の表示を画像Ａに更新する（図３の（ｃ））。ドライバ内部垂直同期信号は、所定期間（１秒）毎に、ＴＧ２２が生成する。なお、表示駆動部２０が表示データを受け取ってから表示するまでの遅延時間は、ここでは省略している。点線のパルスは、そこでは垂直同期信号が生成されていないことを示す。
【００３９】
その後、画像Ａの表示のリフレッシュは、１秒毎に（１Ｈｚで）行われる。表示駆動部２０において、１秒毎に、ＴＧ２２がメモリ２１から表示データ（画像Ａ）を読み出し、ソースドライバ２３が表示データに対応する電位を表示部１０に供給する。
【００４０】
表示駆動部２０は、画像Ｂを示す表示データを受け取ると、リフレッシュレートに関係なく、表示部１０の表示を画像Ｂに更新する。その後、画像Ｂの表示のリフレッシュは、１秒毎に行われる。表示駆動部２０において、１秒毎に、ＴＧ２２がメモリ２１から表示データ（画像Ｂ）を読み出し、ソースドライバ２３が表示データに対応する電位を表示部１０に供給する。このとき、ドライバ内部垂直同期信号も、１Ｈｚのリフレッシュレートに合わせて生成される。
【００４１】
図４は、表示装置１において動画を表示するときのタイミングチャートである。図４は、動画である画像Ａ〜画像Ｅが順に表示される場合を示す。画像Ａ、Ｂ、Ｄ、Ｅはそれぞれ１／３０秒間表示され、画像Ｃは１／１５秒間表示される。画像の内容が変化する間隔は、画像Ａ〜画像Ｅのいずれでも間隔閾値（例えば４００ｍｓ）以下である。そのため、画像Ａ〜画像Ｅは動画であると判断されるので、画像の階調に関係なく画像Ａ〜画像Ｅはカラム反転駆動によって表示される。
【００４２】
図４の（ａ）（ｂ）に示すように、画像の内容が変化したときのみ、垂直同期信号（転送）に同期したタイミングで、ホスト制御部３０から表示駆動部２０に１画面分の（ガンマ補正後の）表示データ（画像Ａ〜画像Ｅ）が転送される。
【００４３】
表示駆動部２０は、受け取った表示データ（画像Ａ）をメモリ２１に格納すると共に、図４の（ｃ）のドライバ内部垂直同期信号に同期したタイミングで、表示部１０の表示を画像Ａに更新する（図４の（ｄ））。ドライバ内部垂直同期信号は、ホスト制御部３０から表示データを受け取るタイミングに応じて、ＴＧ２２が生成する。
【００４４】
（表示方式決定フロー１）
図５は、ホスト制御部３０が表示方式を決定するフローチャートを示す図である。画面更新検知部３１が表示の更新（画像の内容の変化）を検知する毎に、図５のフローが実行される。
【００４５】
画面更新検知部３１は、表示更新フラグ等から画像の内容の変化を検知すると、画像の内容が変化する間隔を検知する。表示方式切替部３６は、画像の内容が変化する間隔（更新間隔）が所定の間隔閾値（例えば４００ｍｓ）以下であるか否かを判定する（Ｓ１）。
【００４６】
画像の内容が変化する間隔が間隔閾値以下である場合（Ｓ１でＹｅｓ）、表示方式切替部３６は、表示される画像が動画であると判断し、表示方式をカラム反転駆動に決定する（Ｓ２）。
【００４７】
画像の内容が変化する間隔が間隔閾値より大きい場合（Ｓ１でＮｏ）、表示方式切替部３６は、表示される画像が静止画であると判断する。画像判定部３５は、画像全体における第２範囲（階調２０から階調８０の範囲）の階調である画素の割合を求める。そして、画像判定部３５は、第２範囲の階調である画素の割合が第１閾値（３０％）以上であるか否かを判定する（Ｓ３）。
【００４８】
画像の内容が変化する間隔が間隔閾値より大きく、かつ第２範囲の階調である画素の割合が第１閾値（３０％）未満である場合（Ｓ３でＮｏ）、表示方式切替部３６は、表示方式をカラム反転駆動に決定する（Ｓ４）。
【００４９】
画像の内容が変化する間隔が間隔閾値より大きく、かつ第２範囲の階調である画素の割合が第１閾値（３０％）以上である場合（Ｓ３でＹｅｓ）、表示方式切替部３６は、表示方式をドット反転駆動に決定する（Ｓ５）。
【００５０】
（表示部１０への書き込み）
図６は、カラム反転駆動における表示部１０の状態を示す図である。図７は、ドット反転駆動における表示部１０の状態を示す図である。表示部１０は、Ｒ（赤）、Ｇ（緑）、Ｂ（青）の３色にそれぞれ対応する画素ＰＩＸを有する。各絵素ＰＥは、ＲＧＢの３つの画素ＰＩＸを含む。各画素ＰＩＸの画素電極は、液晶を挟んで共通電極（図示せず）に対向している。各画素ＰＩＸは、ＴＦＴの半導体層として酸化物半導体が用いられているＴＦＴを有する。図６、図７における「＋」および「−」は、画素ＰＩＸに書き込まれる電位の極性を示している。ここで電位の極性は、共通電極の電位を基準（０Ｖ）として考える。ソース信号線ＳＬは、画素列に沿って配置されており、画素ＰＩＸにソース信号を供給する。走査信号線ＧＬは、画素行に沿って配置されており、画素ＰＩＸのＴＦＴの導通／非導通を制御する。なお、絵素ＰＥ２は、絵素ＰＥ１に対して列方向に隣接する絵素である。絵素ＰＥ１に含まれるＲ画素を画素ＰＩＸ１、絵素ＰＥ２に含まれるＲ画素を画素ＰＩＸ２とする。ソースドライバ２３は、（ガンマ補正後の）デジタル階調の表示データから各階調に対応する電位のソース信号を生成し、ソース信号をソース信号線ＳＬに供給する。このとき、ソースドライバ２３は、カラム反転駆動かドット反転駆動かに応じて、ソース信号の電位の極性を設定する。
【００５１】
図６に示すカラム反転駆動では、１つのフレームにおいて、画素列毎に画素に書き込まれる電位の極性が反転している。さらに、カラム反転駆動では、書き込みを行うフレーム毎に各画素に書き込まれる電位の極性が反転する。なお、画素列毎ではなく、絵素列毎に画素に書き込まれる電位の極性を反転させてもよい。
【００５２】
図７に示すドット反転駆動では、１つのフレームにおいて、画素列および画素行毎に画素に書き込まれる電位の極性が反転している。よって、ドット反転駆動では、画素列方向に隣接する画素ＰＩＸ１および画素ＰＩＸ２に書き込まれる電位の極性が異なり、画素行方向に隣接する画素ＰＩＸ１および画素ＰＩＸ５に書き込まれる電位の極性も異なる。さらに、ドット反転駆動では、書き込みを行うフレーム毎に各画素に書き込まれる電位の極性が反転する。なお、画素列および画素行毎ではなく、絵素列および絵素行毎に画素に書き込まれる電位の極性を反転させてもよい。
【００５３】
ここで、アプリケーションから供給された表示データにおいて、画素ＰＩＸ１に対応する表示データの階調と、画素ＰＩＸ２に対応する表示データの階調とが同じ場合について説明する。すなわち、表示データにおいて列方向に隣接する赤色の画素の階調が同じ場合である。表示データの階調は、ガンマ補正部３７においてデジタルのまま階調変換（ガンマ補正）される。ガンマ補正前において画素ＰＩＸ１に対応する表示データの階調と、画素ＰＩＸ２に対応する表示データの階調とは同じなので、ガンマ補正後においても両者の階調は同じである。
【００５４】
カラム反転駆動では、１つの画素列に対しては同じ極性のソース信号を供給するので、表示データの階調が同じであれば、列方向に隣接する画素ＰＩＸ１と画素ＰＩＸ２とには同じ電位（例えば＋２Ｖ）が書き込まれる。なお、次のフレームにおいては、画素ＰＩＸ１と画素ＰＩＸ２とには負極性の同じ電位（例えば−２Ｖ）が書き込まれる。
【００５５】
一方、ドット反転駆動では、画素列方向に隣接する２つの画素ＰＩＸ１・ＰＩＸ２に対しては、互いに異なる極性のソース信号を供給する。そのため、表示データの階調が同じであっても、画素ＰＩＸ１に書き込まれる電位（例えば＋２Ｖ）と画素ＰＩＸ２に書き込まれる電位（例えば−２Ｖ）とは異なる。ただし、２つの画素ＰＩＸ１・ＰＩＸ２は、電位の極性は異なるが、共通電極の電位（０Ｖ）に対する電圧差はほぼ同じなので、液晶の透過率（すなわち輝度）は実質的に同じになる。
【００５６】
厳密には、共通電極の電位が正負の中央電位（０Ｖ）からずれること等により、正極性の輝度と負極性の輝度とが一致しない場合がある。カラム反転駆動の場合、その輝度差が列毎に異なるので、列模様のフリッカが視認されやすい。これに対して、ドット反転駆動では、画素の正極性および負極性が市松模様に分布するので、フリッカが視認されにくい。
【００５７】
（ガンマ補正）
本実施形態のガンマ補正について、さらに詳細に説明する。ガンマ補正部３７は、カラム反転駆動であるかドット反転駆動であるかに応じて、異なるガンマ補正を行う。
【００５８】
図８は、表示データの階調に対する画素の輝度の特性（階調−輝度特性）を示す図である。図８において、縦軸は輝度率（すなわち透過率）を表し、最大輝度を１００（％）としている。横軸はガンマ補正前の表示データの階調（ＲＧＢのいずれかの階調）を表し、その範囲は０から２５５である。表示装置１では、アプリケーション等から供給された表示データの階調に対して、画素の輝度が図８に示すようなガンマ特性（階調−輝度特性：ガンマ値２．２）になるように、表示データに対してガンマ補正を行う。例えば、カラム反転駆動で表示を行う場合、ガンマ補正部３７は、階調６０の表示データの階調（入力階調）を、階調５０（出力階調）に変換して、ガンマ補正後の表示データとして出力する。
【００５９】
しかしながら、ガンマ補正後の表示データの階調が同じであっても、カラム反転駆動とドット反転駆動とではガンマ特性が異なって見える。もし、ドット反転駆動においてもカラム反転駆動と同じγパラメータでガンマ補正を行うと、実際の輝度は例えば図９に示すような図８とは異なるガンマ特性になる。これは、ドット反転駆動では、１水平期間毎にソース信号線の極性が反転するので、ソース信号線の充電が必要になることに起因する。
【００６０】
そのため、ガンマ補正部３７は、ドット反転駆動で表示を行う場合、カラム反転駆動とは異なるγパラメータ（異なるＬＵＴ）を用いてガンマ補正を行う。例えば、ドット反転駆動で表示を行う場合、ガンマ補正部３７は、階調６０の表示データの階調（入力階調）を、階調５５（出力階調）に変換して、ガンマ補正後の表示データとして出力する。このように、ガンマ補正部３７は、表示データの階調（入力階調）が中間階調の中の第１範囲の階調（ガンマ特性が変化して見える範囲の階調：例えば階調１０から２５０の範囲）である場合、ガンマ補正後の出力階調として、カラム反転駆動とドット反転駆動とでは異なる階調に変換する。それゆえ、ある画素ＰＩＸに対応する表示データの階調が第１範囲の階調である場合、カラム反転駆動では画素ＰＩＸに対して例えば＋２Ｖのソース信号が供給され、例えばドット反転駆動では画素ＰＩＸに対して同極性で異なる電位である＋２．１Ｖのソース信号が供給される。この場合でも書き込まれた結果の画素の電位は、カラム反転駆動とドット反転駆動とでほぼ同じになる。このように、カラム反転駆動とドット反転駆動とで異なるガンマ補正を行うことにより、カラム反転駆動による階調−輝度特性と、ドット反転駆動による階調−輝度特性とが同じになる（共に図８のようになる）。
【００６１】
（表示装置１の効果）
本実施形態の表示装置１によれば、静止画の表示において、フリッカが視認されやすい画像を表示する場合に、表示方式をドット反転駆動にすることによりフリッカが視認されることを防止することができる。また、静止画の表示において、フリッカが視認されにくい画像を表示する場合に、表示方式をカラム反転駆動にすることにより消費電力を低減することができる。そして、表示装置１は、動画を表示する場合は、動画の更新頻度に合わせたリフレッシュレートで表示を行い、静止画を表示する場合は、より低いリフレッシュレート（例えば１０Ｈｚ以下）で表示を行う。それゆえ、表示装置１は、表示品位を高く保ちつつ消費電力を低減することができる。
【００６２】
動画の表示においては、画像の階調に関係なくフリッカが視認されにくい。それゆえ、表示装置１は、動画を表示する場合、表示方式をカラム反転駆動にすることにより消費電力を低減する。なお、動画を表示するときのリフレッシュレートは、少なくとも動画の更新頻度以上であればよい。
【００６３】
表示装置１では、画像の内容が変化しない期間では、リフレッシュ動作は表示駆動部２０が行い、ホスト制御部３０は表示駆動部２０に画像を転送する必要がない。そのため、画像が変化しない期間においてホスト制御部３０の動作を休止させることができる。ホスト制御部３０が休止することによる省電力効果は、非常に大きい。
【００６４】
（変形例１）
なお１つの絵素にはＲＧＢの画素が含まれる。上記の例では、画像判定部３５は、画素の色（ＲＧＢ）に関係なく、画像における第２範囲の階調である画素の割合を判定する。
【００６５】
一方で、画像判定部３５は、ＲＧＢ毎に第２範囲の階調である画素の割合を求め、該割合に色毎に重みづけをしてもよい。この場合、画像判定部３５は、該割合に色毎に重みづけをした合計値が所定の閾値以上であるか否かを判定する。一般的に、人間のＲＧＢの認識度の強さは、Ｒ：Ｇ：Ｂ＝３：６：１であると言われる。すなわち、人間はＧ（緑）画素を強く認識するので、Ｇ画素に第２範囲の階調が多いと、フリッカが視認されやすい。それゆえ、画像判定部３５は、画像の所定の領域において、Ｒ（赤）画素のうち第２範囲の階調であるＲ画素の割合Ｒｒと、Ｇ画素のうち第２範囲の階調であるＧ画素の割合Ｒｇと、Ｂ画素のうち第２範囲の階調であるＢ画素の割合Ｒｂとを求める。画像判定部３５は、重みづけをした合計値として（３×Ｒｒ）＋（６×Ｒｇ）＋（１×Ｒｂ）を求める。画像判定部３５は、この合計値が所定の閾値（例えば、（３＋６＋１）×３０［％］）以上であれば、その画像がフリッカが視認されやすい画像であると判定することができる。
【００６６】
画像判定部３５は、ＲＧＢの階調から求めた絵素の輝度Ｙに基づいて、その画像がフリッカを視認させやすい特徴を有する画像であるか否か判定してもよい。画像判定部３５は、各絵素について、例えば輝度Ｙ＝Ｒ階調×0.29891＋Ｇ階調×0.58661＋Ｂ階調×0.11448として、輝度Ｙを求める。画像判定部３５は、絵素の輝度Ｙが所定の範囲（例えば２０〜８０）の中にあれば、その絵素に含まれる複数の画素は第２範囲の階調であると判定してもよい。すなわち、輝度Ｙが所定の範囲内にある絵素の割合が第１閾値（３０％）以上であれば、フリッカの視認を防止するために、第２表示方式（ドット反転駆動）によって表示が行われる。この場合、画像判定部３５は、各絵素の輝度Ｙについてのヒストグラムを記憶すればよいので、各画素の階調についてのヒストグラムを記憶する場合に比べて記憶容量が１／３程度で済む。
【００６７】
〔実施形態２〕
本発明のさらに他の実施形態について、以下に説明する。なお、説明の便宜上、上述の実施形態にて説明した部材と同じ機能を有する部材については、同じ符号を付記し、その説明を省略する。本実施形態では、画像判定部および表示方式切替部が、ホスト制御部以外の基板に設けられている。また、本実施形態では、フリッカの視認防止のため、ドット反転駆動の代わりに、画像処理を用いた擬似ドット反転技術によって表示を行う。
【００６８】
（表示装置２の構成）
図１０は、本実施形態の表示装置の構成を示すブロック図である。表示装置２は、表示部１０と、表示駆動部４０と、表示制御部５０（制御装置）と、ホスト制御部６０とを備える。
【００６９】
実施形態１と同様に、表示駆動部４０は、表示部１０のガラス基板にＣＯＧ実装された、ＣＯＧドライバであり、表示部１０の駆動を行う。ホスト制御部６０は、基板上に形成された制御回路で構成される制御基板であり、表示装置２のホスト側の制御を主に担う。表示制御部５０は、表示する画像に対する画像処理等のために、ホスト制御部６０とは別に設けられる制御基板である。本実施形態では、表示方式の決定および表示方式に応じた画像処理を、表示制御部５０で行う。これにより、ホスト制御部６０の負荷を減らし、ホスト制御部６０に表示以外の別の処理を行わせるための処理能力を確保することができる。
【００７０】
表示駆動部４０は、ソースドライバ２３を備える。本実施形態では、ソースドライバ２３はカラム反転駆動にのみ対応可能であり、ドット反転駆動は行わない。本実施形態では、常にカラム反転駆動によって表示が行われる。
【００７１】
（ホスト制御部６０の構成）
ホスト制御部６０は、画面更新検知部６１、ＣＰＵ６２、ホストメモリ３３、およびホストＴＧ３４を備える。
【００７２】
画面更新検知部６１は、画像の内容が変化する間隔を検知して表示制御部５０に通知してもよいし、画像の内容が変化する間隔を検知しなくてもよい。例えば、画像の内容が変化する間隔の検知は、表示制御部５０側で行われてもよい。その他の点については、画面更新検知部６１は、実施形態１の画面更新検知部３１と同様の処理を行う。
【００７３】
ＣＰＵ６２は、画像判定部に表示データを出力しない点を除き、実施形態１のＣＰＵ３２と同様の処理を行う。
【００７４】
ホストＴＧ３４は、表示の更新が必要な時のみ、更新される画像の表示データを表示制御部５０に転送する。
【００７５】
（表示制御部５０の構成）
表示制御部５０は、画像処理部５１、画像判定部５２、表示方式切替部５３、メモリ２１、およびＴＧ２２を備える。
【００７６】
ホスト制御部６０から表示データを受け取ると、画像判定部５２は、表示データが示す画像が、フリッカを視認させやすい特徴を有する画像であるか否かを判定する。画像判定部５２の判定処理は、上述の実施形態で説明した通りである。画像判定部５２は、判定結果を表示方式切替部５３に出力する。また、画像判定部５２（更新検知部）は、画像が変化する間隔を検知し、画像が変化する間隔を表示方式切替部５３に出力することができる。
【００７７】
表示方式切替部５３は、画像判定部５２の判定結果に基づいて表示方式を決定する。表示方式切替部５３は、画像判定部５２において画像がフリッカを視認させやすい特徴を有しないと判定された場合、その画像を表示する期間において第１表示方式で画像を表示すると決定する。一方、表示方式切替部５３は、画像判定部５２において画像がフリッカを視認させやすい特徴を有すると判定された場合、その画像を表示する期間において第２表示方式で画像を表示すると決定する。本実施形態では、第１表示方式は擬似ドット反転処理を行わない表示方式であり、第２表示方式は擬似ドット反転処理を行う表示方式である。表示方式切替部５３は、決定された表示方式に応じた画像処理が行われるよう、表示方式を画像処理部５１に指示する。
【００７８】
画像処理部５１は、ホスト制御部６０から受け取った表示データに対して、表示方式に応じて擬似ドット反転処理（画像処理）を行う。第１表示方式では、画像処理部５１は、擬似ドット反転処理を行わない。第２表示方式では、画像処理部５１は、擬似ドット反転処理を行う。
【００７９】
第２表示方式（擬似ドット反転処理）について説明する。画像処理部５１は、ＲＧＢの色毎に、複数の画素に対応する表示データの階調が、同じでありかつ第２範囲（階調２０から８０の範囲）の階調であるような、所定の大きさ以上の領域を検出する。第２範囲の階調の画素が所定の大きさ以上集まった領域は、フリッカを視認させやすい領域である。画像処理部５１は、検出された領域（対象領域）について、対象領域における階調が市松模様のように行方向および列方向に隣り合う画素の階調が不連続になるように、表示データに対して画像処理（擬似ドット反転処理）を行う。
【００８０】
図１１の（ａ）は、擬似ドット反転処理による表示データの階調の変化を示し、図１１の（ｂ）は、対応する画素の輝度率の変化を示す。図１１においては、Ｒ画素のみに注目している。表示データにおいて、対象領域のＲ画素の階調は５０であるとする。表示データの階調が５０のとき、表示データに対して擬似ドット反転処理を行わなければ、対応する画素における輝度率（または透過率）は１０％になる。輝度率は、最小輝度を０％とし、最大輝度を１００％としたときの輝度の割合（％）である。
【００８１】
擬似ドット反転処理では、表示データにおける対象領域に対して、ディザリングまたは誤差拡散等の処理を行い、階調値が市松模様に並ぶように、画像処理を行う。例えば表示データの対象領域における階調が５０である場合、対象領域について画素ＰＩＸ１に対応する階調を高く変換し、画素ＰＩＸ１に隣接する画素ＰＩＸ２に対応する階調を低く変換する。擬似ドット反転処理を行った場合、輝度率２０％の明るい画素（画素ＰＩＸ１）と、輝度率０％の暗い画素（画素ＰＩＸ２）とが市松模様に並ぶ。このとき、擬似ドット反転処理後（変換後）の表示データでは、輝度率２０％に対応する階調１３０の画素と、輝度率０％に対応する階調０の画素とが市松模様に並ぶ。擬似ドット反転処理を行った場合の対象領域における平均輝度率は１０％となる。このように、表示データの擬似ドット反転処理を行った場合（第２表示方式）の画素ＰＩＸ１の輝度および画素ＰＩＸ２の平均輝度と、表示データの擬似ドット反転処理を行わない場合（第１表示方式）の画素ＰＩＸ１の輝度とが同じになるように、階調変換（画像処理）を行う。ここでは表示データにおける対象領域の階調が一様である場合について説明したが、対象領域の階調がグラデーションのようにわずかに異なっていても、変換前の対象領域の平均輝度と、変換後の対象領域の平均輝度とが同じになるように、かつ、階調の分布（明暗の分布）が市松模様（ディザパターン状）になるように、階調変換を行えばよい。
【００８２】
なお、画像処理部５１は、擬似ドット反転処理を、画像の一部の領域にのみ適用してもよい。例えば表示装置の特性上、画面の中央部分においてフリッカが目立ちやすい場合は、画像の中央部分の中にフリッカを視認させやすい対象領域が存在する場合に、該対象領域に対して擬似ドット反転処理を行う構成とすることもできる。
なお、画像処理部５１は、擬似ドット反転処理に先立って色彩調整等の他の画像処理を行うこともできる。また、画像処理部５１は、擬似ドット反転処理の後に、所定の（カラム反転駆動用の）ガンマ補正を行う。画像処理部５１は、画像処理された表示データをメモリ２１に書き込む。
【００８３】
ＴＧ２２の構成は、実施形態１と同様である。ＴＧ２２は、メモリ２１から表示データを読み出し、表示データを表示駆動部４０のソースドライバ２３に転送する。
【００８４】
（表示部１０への書き込み）
図１２は、第１表示方式（擬似ドット反転処理なし）における表示部１０の状態を示す図である。図１３は、第２表示方式（擬似ドット反転処理有り）における表示部１０の状態を示す図である。絵素ＰＥ２は、絵素ＰＥ１に対して列方向に隣接する絵素である。絵素ＰＥ３は、絵素ＰＥ１に対して行方向に隣接する絵素である。絵素ＰＥ４は、絵素ＰＥ３に対して列方向に隣接する絵素である。絵素ＰＥ１に含まれるＲ画素を画素ＰＩＸ１、絵素ＰＥ２に含まれるＲ画素を画素ＰＩＸ２、絵素ＰＥ３に含まれるＲ画素を画素ＰＩＸ３、絵素ＰＥ４に含まれるＲ画素を画素ＰＩＸ４とする。本実施形態では、表示方式に関わらずカラム反転駆動によって表示が行われる。
【００８５】
ここで、アプリケーションから供給された表示データにおいて、画素ＰＩＸ１〜ＰＩＸ４に対応する表示データの階調がそれぞれ同じ場合について説明する。すなわち、表示データにおいて２×２の赤色の画素の階調が同じ場合である。
【００８６】
図１２に示す第１表示方式では、擬似ドット反転処理を行わないので、表示データの階調が同じであれば、一方の列の画素ＰＩＸ１と画素ＰＩＸ２とには階調５０に対応する正極性の同じ電位（例えば＋１．６Ｖ）が書き込まれ、他方の列の画素ＰＩＸ３と画素ＰＩＸ４とには階調５０に対応する負極性の同じ電位（例えば−１．６Ｖ）が書き込まれる。なお、次のフレームにおいては、画素ＰＩＸ１と画素ＰＩＸ２とには負極性の同じ電位（例えば−１．６Ｖ）が書き込まれ、画素ＰＩＸ３と画素ＰＩＸ４とには正極性の同じ電位（例えば＋１．６Ｖ）が書き込まれる。
【００８７】
一方、図１３に示す第２表示方式では、擬似ドット反転処理を行うので、表示データの階調が同じであっても、画素ＰＩＸ１には階調１３０に対応する正極性の電位（例えば＋２．２Ｖ）が書き込まれ、列方向に隣接する画素ＰＩＸ２には階調０に対応する正極性の電位（例えば＋０．１Ｖ）が書き込まれる。また、画素ＰＩＸ３には階調０に対応する負極性の電位（例えば−０．１Ｖ）が書き込まれ、列方向に隣接する画素ＰＩＸ４には階調１３０に対応する負極性の電位（例えば−２．２Ｖ）が書き込まれる。このように、第２表示方式では、表示データの階調が同じであっても、隣接する画素にはそれぞれ異なる電位が書き込まれる。
【００８８】
（表示装置２の効果）
このように、画像処理部５１は、表示データにおける第２範囲（階調２０から８０の範囲）である複数の画素の階調を、第２範囲外の明るい階調（階調８１から２５５）および暗い階調（階調０から１９）に変換する。これにより、フリッカを視認させやすい第２範囲の階調の画素の数を少なくすることができる。また、階調を変換した領域の平均輝度は、変換前の平均輝度と同じである。そのため、利用者には第２表示方式で表示を行っても第１表示方式と同じ画像を表示しているように見える。それゆえ、表示装置２は、画像の表示品位を保ちながら、フリッカが視認されるのを防止することができる。
【００８９】
また、画像処理を行えば消費電力は増加する。表示装置２は、画像がフリッカを視認させやすいと判定した時のみ、擬似ドット反転処理を行う。また、表示装置２は、画像処理によってフリッカの視認を防止するため、消費電力の大きいドット反転駆動を行う必要がない。それゆえ、表示装置２は、消費電力の増加を抑えて、フリッカが視認されるのを防止することができる。
【００９０】
なお、本実施形態で説明した擬似ドット反転処理を行う画像処理部５１、画像判定部５２、および表示方式切替部５３は、実施形態１のようにホスト制御部に設けられていてもよい。また、実施形態１の画像判定部３５、反転駆動方式を切り替える表示方式切替部３６、およびガンマ補正部３７が、本実施形態のように表示制御部に設けられていてもよい。
【００９１】
なお、上記例では、表示データにおける第２範囲（階調２０から８０の範囲）である複数の画素の階調を、第２範囲外である明るい階調（階調８１から２５５）および暗い階調（階調０から１９）に変換する例を示しているが、第２範囲の階調の画素が厳密に全て無くならなくてもよい。フリッカ階調（フリッカが視認されやすい階調）の画素が分散されることにより、フリッカが視認されにくくなる効果を奏する。
【００９２】
〔実施形態３〕
本発明の他の実施形態について、以下に説明する。なお、説明の便宜上、上述の実施形態にて説明した部材と同じ機能を有する部材については、同じ符号を付記し、その説明を省略する。本実施形態では、表示装置のブロック構成は実施形態１または２と同じであるが、表示方式の決定フローが上述の実施形態とは異なる。ここで説明する表示方式の決定フローは、実施形態１および２のいずれにも適用可能である。
【００９３】
（表示方式決定フロー２）
図１４は、本実施形態において表示方式を決定するフローチャートを示す図である。画面更新検知部３１・６１（図１または図１０）が表示の更新（画像の内容の変化）を検知する毎に、図１４のフローが実行される。
【００９４】
画面更新検知部３１・６１は、表示更新フラグ等から画像の内容の変化を検知すると、画像の内容が変化する間隔を検知する。また、画像判定部３５・５２は、階調をビンとして画像の各画素を分類するヒストグラムを生成する。表示方式切替部３６・５３は、画像の内容が変化する間隔（更新間隔）が所定の間隔閾値以下であるか否かを判定する（Ｓ１１）。
【００９５】
画像の内容が変化する間隔が間隔閾値より大きい場合（Ｓ１１でＮｏ）、表示方式切替部は、表示される画像が静止画であると判断する。画像判定部は、条件１を満たすか否かを判定する（Ｓ１２）。条件１は、画像全体における第２範囲（階調２０から８０の範囲）の階調である画素の割合が第１閾値（３０％）以上であることである。
【００９６】
画像の内容が変化する間隔が間隔閾値より大きく、かつ条件１を満たす場合（Ｓ１２でＹｅｓ）、表示方式切替部は、表示方式をフリッカを視認させにくい第２表示方式（ドット反転駆動または擬似ドット反転処理有り）に決定する（Ｓ１３）。
【００９７】
画像の内容が変化する間隔が間隔閾値より大きく、かつ条件１を満たさない場合（Ｓ１２でＮｏ）、画像判定部は、条件２を満たすか否かを判定する（Ｓ１４）。条件２は、画像全体における第３範囲（階調１０から１６０の範囲）の階調である画素の割合が第２閾値（５０％）以上であることである。
【００９８】
画像の内容が変化する間隔が間隔閾値より大きく、かつ条件１を満たさず、かつ条件２を満たす場合（Ｓ１４でＹｅｓ）、表示方式切替部は、表示方式を第２表示方式に決定する（Ｓ１５）。第３範囲は第２範囲を包含するが第２範囲より広い。第３範囲の階調である画素は、第２範囲の階調である画素に比べればフリッカを生じさせにくいが、若干フリッカを生じさせる可能性はある。それゆえ、条件２を満たす場合、フリッカの視認を防止するために、第２表示方式で表示を行う。
【００９９】
画像の内容が変化する間隔が間隔閾値より大きく、かつ条件１を満たさず、かつ条件２を満たさない場合（Ｓ１４でＮｏ）、表示方式切替部は、表示方式を消費電力が小さい第１表示方式（カラム反転駆動または擬似ドット反転処理なし）に決定する（Ｓ１６）。条件１も条件２も満たされない場合、第１表示方式で表示を行ってもフリッカが視認されないと判断できる。そのため、第１表示方式で表示を行うことで、消費電力を低減する。
【０１００】
画像の内容が変化する間隔が間隔閾値以下である場合（Ｓ１１でＹｅｓ）、表示方式切替部は、表示される画像が動画であると判断する。画像判定部は、条件３を満たすか否かを判定する（Ｓ１７）。条件３は、画像全体における第４範囲（階調４０から６０の範囲）の階調である画素の割合が第３閾値（４０％）以上であることである。ここでは第４範囲は、第２範囲に包含され、かつ第２範囲より狭い範囲である。
【０１０１】
画像の内容が変化する間隔が間隔閾値以下であり、かつ条件３を満たす場合（Ｓ１７でＹｅｓ）、表示方式切替部は、表示方式を第２表示方式に決定する（Ｓ１８）。動画であっても、特にフリッカを生じやすい階調の画素が多い場合は、フリッカが視認される可能性がある。この場合でも、第２表示方式で表示を行うことにより、フリッカの視認を防止することができる。
【０１０２】
画像の内容が変化する間隔が間隔閾値以下であり、かつ条件３を満たさない場合（Ｓ１７でＮｏ）、画像判定部は、条件４を満たすか否かを判定する（Ｓ１９）。条件４は、画像全体における第５範囲（階調２０から８０の範囲）の階調である画素の割合が第４閾値（６０％）以上であることである。
【０１０３】
画像の内容が変化する間隔が間隔閾値以下であり、かつ条件３を満たさず、かつ条件４を満たす場合（Ｓ１９でＹｅｓ）、表示方式切替部は、表示方式を第２表示方式に決定する（Ｓ２０）。第５範囲は第４範囲を包含するが第４範囲より広い。それゆえ、条件４を満たす場合、フリッカの視認を防止するために、第２表示方式で表示を行う。
【０１０４】
画像の内容が変化する間隔が間隔閾値以下であり、かつ条件３を満たさず、かつ条件４を満たさない場合（Ｓ１９でＮｏ）、表示方式切替部は、表示方式を第１表示方式に決定する（Ｓ２１）。
【０１０５】
上記フロー２では、フリッカを視認させやすい階調の画素の割合を段階的に判定する。それゆえ、より表示品位を高く保ちつつ、不要な消費電力を低減することができる。なお、静止画より動画の方がフリッカが視認されにくいので、動画のための条件３、４はそれぞれ、静止画のための条件１、２より厳しい条件（満たす画像が少ない条件）になっている。
【０１０６】
（表示方式決定フロー３）
図１５の（ａ）および（ｂ）は、表示装置の画面に表示される画像（静止画）の例を示す図である。これらの画像Ｆ、Ｇでは、白地の背景の中に、ユーザが選択するためのＹｅｓボタンおよびＮｏボタンが配置されている。白地の背景には例えば黒色の文字が描かれる。画像Ｆでは、ボタン領域は一定の階調３０であり、画像Ｇでは、ボタン領域は一定の階調７０である。画像Ｆにおいて、階調３０のボタン領域は全体の１８％の割合を占め、画像Ｇにおいて、階調７０のボタン領域は全体の１８％の割合を占める。すなわち、画像Ｆ、Ｇにおいて、白地の背景および黒色の文字からなる階調０から５および階調２００から２５５の領域（背景領域）は、全体の８０％以上を占める。
【０１０７】
これらの画像Ｆ、Ｇについて、上記フロー１、２に従って表示方式を決定すると、第１表示方式（カラム反転駆動または擬似ドット反転処理なし）で表示を行うことになる。しかしながら、画像Ｆまたは画像Ｇでは、階調３０または７０の領域が固まって存在するため、１０Ｈｚ以下の低リフレッシュレートかつ第１表示方式で表示を行うとボタン領域にフリッカが視認される可能性がある。かといって、第２範囲（階調２０から８０の範囲）に対する第１閾値を１５％に設定すると、多くの画像が条件を満たしてしまい、第１表示方式でもフリッカが視認されない画像まで消費電力の大きい第２表示方式で表示することになる。そこで、以下で説明するフロー３では、階調の範囲を小さく分割して、判定を行う。
【０１０８】
図１６は、表示方式を決定するフローチャートを示す図である。
【０１０９】
画像判定部は、条件５を満たすか否かを判定する（Ｓ３１）。条件５は、画像全体における第６範囲（階調２０から４０の範囲）の階調である画素の割合が第５閾値（１５％）以上であることである。
【０１１０】
条件５を満たす場合（Ｓ３１でＹｅｓ）、表示方式切替部は、表示方式を第２表示方式（ドット反転駆動または擬似ドット反転処理有り）に決定する（Ｓ３２）。
【０１１１】
条件５を満たさない場合（Ｓ３１でＮｏ）、画像判定部は、条件６を満たすか否かを判定する（Ｓ３３）。条件６は、画像全体における第７範囲（階調４１から８０の範囲）の階調である画素の割合が第６閾値（１５％）以上であることである。
【０１１２】
条件５を満たさず、かつ条件６を満たす場合（Ｓ３３でＹｅｓ）、表示方式切替部は、表示方式を第２表示方式に決定する（Ｓ３４）。
【０１１３】
条件５を満たさず、かつ条件６を満たさない場合（Ｓ３３でＮｏ）、表示方式切替部は、表示方式を第１表示方式（カラム反転駆動または擬似ドット反転処理なし）に決定する（Ｓ３５）。
【０１１４】
ここで、第６範囲と第７範囲とは、連続しているが範囲が重ならない。また、第５閾値と第６閾値とは同じ値（１５％）である。このように、フリッカが生じやすい中間階調（例えば階調２０−８０）を、２つの範囲に分割してそれぞれ割合を判定することにより、画像Ｆ、Ｇのような小さい領域でフリッカが視認される画像をフリッカが視認されにくい第２表示方式で表示することができる。それゆえ、ボタン領域のような、フリッカを視認させやすい階調が固まって存在する画像についても、フリッカの視認を防止することができる。また、フリッカが視認されにくい画像を適切に判別し、該画像を消費電力が小さい第１表示方式で表示することができる。
【０１１５】
なお、第６範囲と第７範囲とは、範囲が一部重なっていてもよく、異なる範囲であればよい。第５閾値と第６閾値とは、異なっていてもよい。
【０１１６】
〔実施形態４〕
本発明のさらに他の実施形態について、以下に説明する。なお、説明の便宜上、上述の実施形態にて説明した部材と同じ機能を有する部材については、同じ符号を付記し、その説明を省略する。本実施形態では、表示装置のブロック構成は実施形態１または２と同じである。ここで説明する画像判定方法は、実施形態１および２のいずれにも適用可能である。
【０１１７】
（画像判定方法１）
実施形態１では画像全体における所定の範囲の階調である画素の割合を求めたが、画像の一部の領域において所定の範囲の階調である画素の割合を求めてもよい。
【０１１８】
図１７の（ａ）（ｂ）は、異なる表示装置の画面を示す図である。画素の容量の均一性は、製造工程に依存する。そのため、表示装置の画面において、画素の容量が均一でない領域は、一定の箇所に偏ることが多い。例えば、図１７の（ａ）に示す表示装置の例では、画面１１ａの中央に画素の容量が均一でない領域１２が分布している。また、図１７の（ｂ）に示す表示装置の例では、画面１１ｂの下部に画素の容量が均一でない領域１２が分布している。すなわち、画面全体に同じ階調の画像を表示した場合であっても、図１７の（ａ）では画面１１ａの中央においてフリッカが視認されやすく、図１７の（ｂ）では画面１１ｂの下部においてフリッカが視認されやすい。
【０１１９】
そこで、画素の容量が均一でない領域１２に対応する画像の領域に、フリッカを生じやすい階調の画素が分布しているか否かを判定すれば、その画像がフリッカを生じやすい画像であるか否かを判別することができる。
【０１２０】
図１７の（ａ）の表示装置では、画像判定部（領域指定部）３５・５２は、画像における中央の一部の領域を所定の解析領域１３として指定する。図１７の（ｂ）の表示装置では、画像判定部は、画像における下部の一部の領域を所定の解析領域１３とする。解析領域１３は、画素の容量が均一でない領域１２に対応する領域を含む。そして、画像判定部は、解析領域１３における第２範囲（例えば階調２０から８０の範囲）の階調である画素の割合が、第１閾値（例えば３０％）以上であるか否かを判定する。
【０１２１】
このように、画面のフリッカが生じやすい領域に対応する画像の一部の領域のみにおいて、中間階調の画素の割合を判定することにより、画素の階調を判定する処理を低減することができる。また、ヒストグラムのための記憶容量も低減することができる。
【０１２２】
また、画像の解析領域１３においてフリッカが生じやすい（第２範囲の階調の画素の割合が第１閾値以上である）と判定された場合、画面１１ａ、１１ｂの全体ではなく、画面１１ａ、１１ｂの一部の領域１４のみに第２表示方式（擬似ドット反転処理またはドット反転駆動）を適用し、他の領域には第１表示方式を適用してもよい。
【０１２３】
（画像判定方法２）
画像判定部３５・５２は、画像の複数の領域について、所定の範囲の階調である画素の割合を求めてもよい。
【０１２４】
図１８の（ａ）に示す表示装置の例では、画面１１ｃの中央から下部にかけて画素の容量が均一でない領域１２が分布している。そこで、画像判定部は、複数の解析領域１３ａ、１３ｂを設定する。画素の容量が均一でない領域１２のうち画面１１ｃの中央部は、解析領域１３ａに含まれる。画素の容量が均一でない領域１２のうち画面１１ｃの下部は、解析領域１３ｂに含まれる。
【０１２５】
画像判定部は、複数の解析領域１３ａ、１３ｂ毎に、第２範囲の階調（フリッカを視認させやすい階調）の画素の割合が第１閾値以上であるか否かを判定する。画像の解析領域１３ａ、１３ｂのいずれかの解析領域においてフリッカを視認させやすい特徴を有する（第２範囲の階調の画素の割合が第１閾値以上である）と判定された場合、少なくともフリッカを視認させやすい特徴を有すると判定された解析領域については、第２表示方式（擬似ドット反転処理またはドット反転駆動）を適用する。例えば、解析領域１３ａにおける第２範囲の階調の画素の割合が第１閾値以上である場合、表示方式切替部は、解析領域１３ａの第２範囲の階調の画素に対して擬似ドット反転処理を適用する。
【０１２６】
例えば、画面１１ｃの領域１４ａについては、対応する解析領域１３ａにおける複数の画素の階調に応じて表示方式が決定され、画面１１ｃの領域１４ｂについては、対応する解析領域１３ｂにおける複数の画素の階調に応じて表示方式が決定される。画面１１ｃのその他の領域については、常に第１表示方式によって表示が行われる。なお、表示方式切替部は、いずれかの解析領域でフリッカを視認させやすい特徴を有すると判定された場合、画像全体を第２表示方式で表示してもよい。
【０１２７】
図１８の（ｂ）に示すように、画像判定部は、画像（画面１１ｄ）全体を複数の解析領域１３ｃ〜１３ｈに区分し、解析領域毎に第２範囲の階調の画素の割合が第１閾値以上であるか否かを判定してもよい。この場合、画像判定部は、解析領域毎に、画素を分類するヒストグラムを生成する。例えば、解析領域毎に、画像判定部の判定結果に応じて、第１表示方式で表示を行うか第２表示方式で表示を行うかを決定してもよい。
【０１２８】
なお、複数の解析領域１３ｃ〜１３ｈ毎に、判定のための条件が異なっていてもよい。例えば、画像判定部は、解析領域１３ｅについては、第２範囲の階調の画素が第１閾値以上であるという条件を満たすか判定し、解析領域１３ｆについては、第２範囲と異なる第３範囲の階調の画素が第１閾値と異なる第２閾値以上であるという条件を満たすか判定してもよい。
【０１２９】
複数の解析領域毎に判定を行うことによって、フリッカが視認されやすい画素が局所的に集まっている画像に対しても、適切に表示方式を変更して、フリッカの視認を防止することができる。また、フリッカが視認されにくい画像（または領域）に対しては、低消費電力の第１表示方式で表示を行うことにより、消費電力を低減することができる。
【０１３０】
（画像判定方法３）
画像の中に所定のパターンにマッチする領域があるかを判定することにより、その画像がフリッカが生じやすい領域を有するかを判定することもできる。
【０１３１】
図１９の（ａ）は、所定のパターン１５を示す図である。パターン１５は、３行×６列の画素で構成される矩形のパターンである。「１」は対応する画素の階調が第２範囲（階調２０から８０の範囲）内であることを示し、「０」は対応する画素の階調が第２範囲ではないことを示す。すなわち、パターン１５は、第２範囲の階調である複数の画素が２次元的に集まって構成されるパターンである。
【０１３２】
図１９の（ｂ）（ｃ）は、画像の各画素の階調を表す階調マップを示す図である。画像判定部は、画像の各画素の階調が第２範囲の階調であるか否かを判定し、階調マップ１６ａ、１６ｂを生成する。階調マップ１６ａ、１６ｂでは、画素の階調が第２範囲内であれば値を「１」とし、画素の階調が第２範囲でなければ値を「０」とする。
【０１３３】
図１９の（ｃ）の階調マップ１６ｂのように、第２範囲の階調である画素が多く存在しても、第２範囲の階調である画素が粗に分散していれば、フリッカは視認されにくい。図１９の（ｂ）の階調マップ１６ａのように、第２範囲の階調である画素が密に分布している領域が局所的に存在すると、たとえ全体における第２範囲の階調である画素の割合は小さくても、フリッカが視認されやすい。すなわち、第２範囲の階調である画素が一定領域以上固まって存在すると、よりフリッカが視認されやすくなる。
【０１３４】
画像判定部は、階調マップ１６ａ、１６ｂにおいて所定のパターン１５にマッチする領域が存在するか否かを判定する。表示方式切替部は、画像がパターン１５にマッチする領域を有するか否かに応じて、表示方式を切り替える。
【０１３５】
ある画像の階調マップ１６ａは、パターン１５にマッチする領域１７を有する。そのため、階調マップ１６ａに対応する画像はフリッカを生じやすいので、表示方式切替部は、該画像を第２表示方式で表示することを決定する。別の画像の階調マップ１６ｂは、パターン１５にマッチする領域を有しない。そのため、階調マップ１６ｂに対応する画像はフリッカを生じにくいので、表示方式切替部は、該画像を第１表示方式で表示することを決定する。
【０１３６】
このように、画像が所定のパターン１５にマッチするか否かに応じて表示方式を決定することにより、局所的にフリッカが視認されやすい画像（図１９の（ｂ））を第２表示方式（擬似ドット反転処理有りまたはドット反転駆動）で表示し、フリッカの視認を防止することができる。また、第２範囲の階調である画素が多く含まれるがフリッカが視認されにくい画像（図１９の（ｃ））を第１表示方式（擬似ドット反転処理なしまたはカラム反転駆動）で表示し、消費電力を低減することができる。
【０１３７】
なお、表示方式切替部は、マッチする領域に対応する画像の一部の領域のみについて、第２表示方式で表示を行うと決定してもよい。また、１００％の完全なマッチではなくとも、パターン１５に所定の割合（例えば８０％）以上マッチする領域が画像に存在すれば、表示方式切替部は、該画像を第２表示方式で表示すると決定してもよい。
【０１３８】
なお、上記の例では、画素の色に関係なくパターンマッチを行っているが、絵素毎にパターンマッチを行ってもよい。すなわち、画像判定部は、絵素の輝度Ｙが所定の範囲であるかを示す階調マップを生成し、複数の絵素で構成される所定のパターンが画像にマッチするか否かを判定してもよい。また、画像判定部は、１つの画像に対してＲＧＢの色毎に階調マップを生成し、各色の階調マップに対して所定のパターンがマッチするか否かを判定してもよい。
【０１３９】
（他の画像判定方法）
上述した画像判定方法の他にも、画像判定部は、画像の中に所定のパターン（例えばストライプ模様）が存在する場合に、該画像はフリッカを視認させやすい特徴を有すると判定してもよい。飽和階調の画素は時間経過による電位の変動が小さいため、飽和階調（最高階調または最低階調）の画素に中間階調の画素が隣接しているとフリッカが視認されやすくなる。画像がこのような所定のパターンを有する場合に、第２表示方式によって表示を行い、フリッカの視認を防止することができる。
【０１４０】
〔実施形態５〕
本発明のさらに他の実施形態について、以下に説明する。なお、説明の便宜上、上述の実施形態にて説明した部材と同じ機能を有する部材については、同じ符号を付記し、その説明を省略する。本実施形態では、画像判定部、表示方式切替部、および画像処理部が、ＣＯＧドライバである表示駆動部に設けられている。
【０１４１】
（表示装置３の構成）
図２０は、本実施形態の表示装置の構成を示すブロック図である。表示装置３は、表示部１０と、表示駆動部７０（制御装置）と、ホスト制御部６０とを備える。ホスト制御部６０の構成は、実施形態２と同様である。ホスト制御部６０は、表示の更新が必要な時のみ、更新される画像の表示データを表示駆動部７０に転送する。
【０１４２】
表示駆動部７０は、表示部１０のガラス基板にＣＯＧ実装された、ＣＯＧドライバであり、表示部１０の駆動を行う。表示駆動部７０は、画像処理部５１、画像判定部５２、表示方式切替部５３、メモリ２１、ＴＧ２２、およびソースドライバ２３を備える。表示駆動部７０の各部の動作は、実施形態２と同様である。
【０１４３】
なお、実施形態１の画像判定部３５、反転駆動方式を切り替える表示方式切替部３６、およびガンマ補正部３７が、本実施形態のように表示駆動部に設けられていてもよい。
【０１４４】
本実施形態では、表示方式の決定を、ＣＯＧドライバ（表示駆動部７０）で行う。これにより、ホスト制御部６０とは別の基板を設けることなく、ホスト制御部６０の負荷を減らすことができる。アクティブマトリクス基板に形成されるＣＯＧドライバは実装面積が制限されるため、本実施形態は、画像処理部５１、画像判定部５２および表示方式切替部５３において簡単な処理のみを行う場合に適している。
【０１４５】
〔まとめ〕
本発明の態様１に係る表示装置（１、２、３）は、第１絵素（ＰＥ１）においてある色を表示する第１画素（ＰＩＸ１）と、上記第１絵素に隣接する第２絵素（ＰＥ２）において上記色を表示する第２画素（ＰＩＸ２）とを含む表示パネル（１０）と、ある期間における表示データが示す画像がフリッカを視認させやすい特徴を有する画像（フリッカ画像）であるか否かを判定する画像判定部（３５、５２）と、上記期間における画像はフリッカを視認させやすい特徴を有しないと判定された場合、該期間において第１表示方式で該画像の表示を行う一方、上記期間における画像はフリッカを視認させやすい特徴を有すると判定された場合、該期間において第２表示方式で該画像の表示を行うように、表示方式を切り替える表示方式切替部（３６、５３）と、上記第１表示方式では、上記第１画素に対応する上記表示データの階調と上記第２画素に対応する上記表示データの階調とが同じである場合、上記第１画素および上記第２画素に同じ電位を書き込む一方、上記第２表示方式では、上記第１画素に対応する上記表示データの階調と上記第２画素に対応する上記表示データの階調とが同じである場合であっても、上記第１画素および上記第２画素に異なる電位を書き込む画素書込部（ソースドライバ２３）とを備える。
【０１４６】
例えば第１表示方式は、第２表示方式に比べて消費電力が小さい表示方式であり、第２表示方式は、第１表示方式に比べてフリッカを視認させにくい表示方式である。
【０１４７】
上記の構成によれば、画像がフリッカを視認させやすい特徴を有するか否かに応じて、表示方式が切り替えられる。第１表示方式では、上記第１画素に対応する上記表示データの階調と上記第２画素に対応する上記表示データの階調とが同じである場合、画素書込部は、単純に上記第１画素および上記第２画素に同じ電位を書き込む。一方、第２表示方式では、上記第１画素に対応する上記表示データの階調と上記第２画素に対応する上記表示データの階調とが同じである場合であっても、フリッカの視認を防止するために、画素書込部は、上記第１画素および上記第２画素に異なる電位を書き込む。すなわち、第２表示方式では、上記第１画素および上記第２画素に対応する表示データの階調が同じ場合、上記第１画素および上記第２画素の輝度の平均によって該階調が表される。それゆえ、第２表示方式では、フリッカの視認を防止することができる。それゆえ、画像の特徴に応じて表示方式を切り替えることにより、消費電力を抑え、かつ、良好な表示を行う表示装置を実現することができる。
【０１４８】
本発明の態様２に係る表示装置は、上記態様１において、上記第１絵素と上記第２絵素とは、列方向に隣接し、上記画素書込部は、上記第１表示方式ではカラム反転駆動によって表示を行い、上記第２表示方式ではドット反転駆動によって表示を行い、上記表示方式切替部は、上記画像判定部の判定結果に応じて上記画素書込部の表示方式をカラム反転駆動とドット反転駆動との間で切り替える構成であってもよい。
【０１４９】
上記の構成によれば、表示装置は、フリッカを視認させやすい特徴を有しない画像をカラム反転駆動で表示し、フリッカを視認させやすい特徴を有する画像をドット反転駆動によって表示する。カラム反転駆動は、ドット反転駆動に比べて消費電力が小さく、ドット反転駆動は、カラム反転駆動に比べてフリッカを視認させにくい。それゆえ、フリッカを視認させやすい特徴を有しない画像に対してはカラム反転駆動によって消費電力を抑え、フリッカを視認させやすい特徴を有する画像に対してはドット反転駆動によって良好な表示をすることができる。
【０１５０】
本発明の態様３に係る表示装置は、上記態様２において、上記第１画素に対応する階調が、中間階調の中の第１範囲の階調である場合、上記第１表示方式において上記画素書込部が上記第１画素に書き込む電位と、上記第２表示方式において上記画素書込部が上記第１画素に書き込む電位とは、同極性であり、かつ異なる大きさである構成であってもよい。
【０１５１】
本発明の態様４に係る表示装置は、上記態様２または３において、上記第１表示方式と上記第２表示方式とで、上記表示データに対して異なるパラメータを用いてガンマ補正を行うガンマ補正部を備える構成であってもよい。
【０１５２】
本発明の態様５に係る表示装置では、上記態様４において、上記ガンマ補正部は、上記第１表示方式における階調−輝度特性と、上記第２表示方式における階調−輝度特性とが同じになるように、ガンマ補正を行う構成であってもよい。
【０１５３】
本発明の態様６に係る表示装置は、上記態様１において、上記第１画素に対応する上記表示データの階調と上記第２画素に対応する上記表示データの階調とが中間階調の中の第２範囲の階調である場合、上記第２表示方式では、上記第１画素に対応する階調を高く変換し、上記第２画素に対応する階調を低く変換するように、画像処理を行う画像処理部を備える構成であってもよい。
【０１５４】
上記第２範囲は、中間階調の範囲内においてフリッカを視認させやすい階調として予め定められた階調の範囲である。
【０１５５】
上記の構成によれば、第２表示方式では、第１画素および第２画素に対応する上記第２範囲の階調を、高く変換した階調と低く変換した階調との平均によって表すことができる。それゆえ、フリッカを視認させやすい特徴を有する画像に対しては第２表示方式によってフリッカの視認を防止することができる。
【０１５６】
本発明の態様７に係る表示装置では、上記態様６において、上記画像処理部は、上記第１表示方式では上記画像処理を行わない構成であってもよい。
【０１５７】
本発明の態様８に係る表示装置では、上記態様７において、上記第１画素に対応する上記表示データの階調と上記第２画素に対応する上記表示データの階調とが同じである場合、上記画像処理部は、上記第２表示方式における上記第１画素および上記第２画素の平均輝度が、上記第１表示方式における上記第１画素の輝度と同じになるように、上記画像処理を行う構成であってもよい。
【０１５８】
本発明の態様９に係る表示装置では、上記態様６から８において、上記第２表示方式では、上記画像処理部は、上記色を表示する複数の画素に対応する上記表示データの階調が、同じでありかつ上記第２範囲の階調であるような、所定の大きさ以上の領域を検出し、上記変換によって階調が高くなる画素と上記変換によって階調が低くなる画素とが市松模様に並ぶように、上記画像における該領域に対して上記画像処理を行う構成であってもよい。
【０１５９】
本発明の態様１０に係る表示装置では、上記態様９において、上記画像処理部は、上記第２表示方式における上記変換によって階調が高くなる上記画素および上記変換によって階調が低くなる上記画素の平均輝度が、上記第１表示方式における上記領域の画素の輝度と同じになるように、上記画像処理を行う構成であってもよい。
【０１６０】
本発明の態様１１に係る表示装置では、上記態様６から１０において、上記第２表示方式においては、上記画像処理部は、変換後の上記第１画素に対応する階調と変換後の上記第２画素に対応する階調とが上記第２範囲外の階調になるように、上記画像処理を行う構成であってもよい。
【０１６１】
本発明の態様１２に係る表示装置では、上記態様１から１１において、上記画素書込部は、上記表示データが示す画像の内容が変化したタイミング、および、上記第１画素および上記第２画素に電位を書き込んでから所定期間が経過したタイミングのいずれか早いタイミングで、表示の更新を行い、上記所定期間は、動画を表示するときの表示更新間隔よりも長い構成であってもよい。
【０１６２】
本発明の態様１３に係る表示装置では、上記態様１から１２において、上記画像判定部は、上記画像の所定の領域における、中間階調の中の第２範囲の階調である画素の割合が第１閾値以上であるか否かに応じて、上記期間における画像がフリッカを視認させやすい特徴を有するか否かを判定する構成であってもよい。
【０１６３】
本発明の態様１４に係る表示方法は、表示装置の表示方法であって、上記表示装置は、第１絵素においてある色を表示する第１画素と、上記第１絵素に隣接する第２絵素において上記色を表示する第２画素とを含む表示パネルを備え、ある期間における表示データが示す画像がフリッカを視認させやすい特徴を有する画像であるか否かを判定する画像判定ステップと、上記期間における画像はフリッカを視認させやすい特徴を有しないと判定された場合、該期間において第１表示方式で該画像の表示を行う一方、上記期間における画像はフリッカを視認させやすい特徴を有すると判定された場合、該期間において第２表示方式で該画像の表示を行うように、表示方式を切り替える表示方式切替ステップと、上記第１表示方式では、上記第１画素に対応する上記表示データの階調と上記第２画素に対応する上記表示データの階調とが同じである場合、上記第１画素および上記第２画素に同じ電位を書き込む一方、上記第２表示方式では、上記第１画素に対応する上記表示データの階調と上記第２画素に対応する上記表示データの階調とが同じである場合であっても、上記第１画素および上記第２画素に異なる電位を書き込む画素書込ステップとを含む。
【０１６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６５】
本発明は、表示装置に利用することができる。
【符号の説明】
【０１６６】
１、２、３    表示装置
１０    表示部（表示パネル）
２０、４０、７０    表示駆動部（制御装置）
２３    ソースドライバ（画素書込部）
３０、６０    ホスト制御部（制御装置）
３１、６１    画面更新検知部（更新検知部）
３５、５２    画像判定部（領域指定部）
３６、５３    表示方式切替部
３７    ガンマ補正部
５０    表示制御部（制御装置）
５１    画像処理部
ＰＩＸ１    第１画素
ＰＩＸ２    第２画素
ＰＥ１    第１絵素
ＰＥ２    第２絵素
【図１】
2014211536.tif 000003
【図２】
2014211536.tif 000004
【図３】
2014211536.tif 000005
【図４】
2014211536.tif 000006
【図５】
2014211536.tif 000007
【図６】
2014211536.tif 000008
【図７】
2014211536.tif 000009
【図８】
2014211536.tif 000010
【図９】
2014211536.tif 000011
【図１０】
2014211536.tif 000012
【図１１】
2014211536.tif 000013
【図１２】
2014211536.tif 000014
【図１３】
2014211536.tif 000015
【図１４】
2014211536.tif 000016
【図１５】
2014211536.tif 000017
【図１６】
2014211536.tif 000018
【図１７】
2014211536.tif 000019
【図１８】
2014211536.tif 000020
【図１９】
2014211536.tif 000021
【図２０】
2014211536.tif 000022